(57)【要約】【課題】簡便な構造で棚面を好適に形成し得る果樹棚及びその設置方法を提供する。【解決手段】圃場に立設される支柱１２と、該支柱１２の所定高さに連結された梁１３と、該梁１３に張り渡される張線１６とを備え、梁１３と張線１６とにより棚面１１を形成し、支柱１２のうち少なくとも一部（支柱１２ｂ）は棚面１１より高い位置に突出し、且つその棚面１１より高い位置に突出した部分から周囲の梁１３又は張線１６へ吊線１８を張り渡して該梁１３又は張線１６を支持するよう構成する。【選択図】図３
2018019617.tif 000002
【特許請求の範囲】
【請求項１】
圃場に立設される支柱と、該支柱の所定高さに連結された梁と、該梁に張り渡される張線とを備え、前記梁と前記張線とにより棚面を形成し、
前記支柱のうち少なくとも一部は前記棚面より高い位置に突出し、且つその棚面より高い位置に突出した部分から周囲の前記梁又は前記張線へ吊線を張り渡して該梁又は張線を支持するよう構成したことを特徴とする果樹棚。
【請求項２】
前記支柱の先端に、該支柱と嵌合する軸部と、該軸部の一端を覆い且つ該軸部の径方向外側に広がるように形成される傘部と、該傘部に開口する孔を備えたキャップを配したことを特徴とする請求項１に記載の果樹棚。
【請求項３】
前記支柱のうち、隅に位置する支柱と梁との連結部と、前記隅に位置する支柱に隣接する支柱の地面付近との間を、筋交いにより連結したことを特徴とする請求項１又は２に記載の果樹棚。
【請求項４】
前記支柱のうち、隅に位置する支柱と梁との連結部と、その近傍で棚面の外周より内側に位置する支柱と梁との連結部との間を、筋交いにより連結したことを特徴とする請求項１〜３のいずれか一項に記載の果樹棚。
【請求項５】
前記支柱及び前記梁はパイプであり、該パイプ同士は、該パイプを挟み込むクランプ部を備えた連結具によって連結されることを特徴とする請求項１〜４のいずれか一項に記載の果樹棚。
【請求項６】
前記支柱の先端同士の間に支柱間支線を張り渡したことを特徴とする請求項１〜５のいずれか一項に記載の果樹棚。
【請求項７】
前記支柱の先端と、該支柱と梁との連結部の間に上下間支線を張り渡したことを特徴とする請求項１〜６のいずれか一項に記載の果樹棚。
【請求項８】
圃場に支柱を立設し、該支柱の所定高さに梁を連結し、該梁に張線を張り渡して前記梁と前記張線により棚面を形成し、該棚面より高い位置に突出させた前記支柱から、周囲の前記梁又は前記張線へ吊線を張り渡して該梁又は張線を支持することを特徴とする果樹棚の設置方法。
【発明の詳細な説明】
【技術分野】
【０００１】
本発明は、葡萄やキウイフルーツ、梨、スモモ等の果樹を栽培するための果樹棚、及びその設置方法に関する。
【背景技術】
【０００２】
従来、葡萄やキウイフルーツ、梨、スモモといった果樹を栽培する圃場においては、平棚と呼ばれるタイプの果樹棚を用いた栽培が実施されている。栽培者の身長よりもやや高い位置にワイヤ等で構成した棚面を設置し、該棚面に沿って枝や蔓を這わせるように栽培することで、均等な日照により果実を均質化できるほか、収穫等の各種作業の作業性に優れるといった利点を有している。
【０００３】
図７〜図１０はこうした果樹棚の一例を示している。図７〜図９に示す如く、圃場に設置された果樹棚１は、全体として矩形をなす棚面２を備えており、棚面２の各辺には、内側から外側上側へ向かって例えば４５゜前後の傾斜角を有する傾斜柱３が、所要の間隔（通常、２２００ｍｍ前後）を有して等間隔に固設されている。傾斜柱３は、一般にコンクリート製であり、下端を地面に埋設させて固定している。また、圃場のコーナ部には、該コーナ部を平面視で二等分するように傾斜柱３'が設けてあり、この傾斜柱３'も内側から外側上側へ向かって例えば４５゜前後の傾斜角で設置されている。
【０００４】
図１０に示すように、各傾斜柱３（３'）の上端部における棚面２に対して外側及び上側にあたる角部には、それぞれ段部３ａ，３ｂが形成してある。各傾斜柱３（３'）の外側の段部３ａには周囲線４が嵌合しており、該周囲線４により全ての傾斜柱３（３'）の上端部を所定の張力で周囲から取り巻くように固縛している。上記周囲線４には、例えば２ｍｍ径の果樹鋼線を七本撚りにしたワイヤ状のものを用いている。
【０００５】
また、各傾斜柱３（３'）の上端部の上側の段部３ｂには、引き下げ線５を複数回掛け回して傾斜柱３（３'）の上端部を固縛してあり、引き下げ線５の下端は地中に設けたアンカー６に固定されている。こうして、引き下げ線５とアンカー６により、周囲線４に作用する張力を受けて傾斜柱３が起き上がる（煽りを受ける）のを防止している。引き下げ線５には周囲線４と同様、果樹鋼線を七本撚りにしたものを用いている。
【０００６】
矩形の棚面２の対向する二辺に設けられる傾斜柱３の相互間には、図７、図９に示す如く、左右方向に延びる張線７ａと奥行き方向に伸びる張線７ｂが張り渡されており、左右方向の張線７ａと奥行き方向の張線７ｂは網状に上下交互に編まれた配置となっている。こうして、圃場内の傾斜柱３の上端の高さ位置に、平面視で２２００ｍｍ間隔の升目が形成される。上記張線７ａ，７ｂには、例えば果樹鋼線を三本撚りにしたワイヤ状のものを用いている。
【０００７】
更に、左右方向の張線７ａと奥行き方向の張線７ｂの夫々の間には、対向する周囲線４間を３０〜４０ｍｍ程度の間隔で張り渡される左右方向の小張線８ａと奥行き方向の小張線８ｂを設けている。小張線８ａ，８ｂには果樹鋼線の単線を用いており、張線７ａ，７ｂの上側に被せるように配置される。
【０００８】
そして、上記小張線８ａ，８ｂにより３００〜４００ｍｍ程度の小さい間隔の升目が形成されており、この小さい升目により、果樹の水平方向に延びる枝や蔓を支持する棚面２を構成している。また、張線７ａ，７ｂが交叉している適宜位置には、図７に示す如く鉛直の中間支柱９が設けられ、張線７ａ，７ｂを支持するようになっている。
【０００９】
尚、この種の果樹棚に関する一般的技術水準を示す文献としては、例えば、下記の特許文献１等がある。
【先行技術文献】
【特許文献】
【００１０】
【特許文献１】特開２０１４−９６９９２号公報
【発明の概要】
【発明が解決しようとする課題】
【００１１】
上述の如きワイヤで形成した棚面２を傾斜柱３（３'）により支持するタイプの果樹棚１の場合、傾斜柱３（３'）の間にかかる張力には微妙なバランスが要求される。すなわち、上述の如く、傾斜柱３（３'）の相互間には周囲線４や張線７ａ，７ｂが張り渡され、張線７ａ，７ｂの間にも小張線８ａ，８ｂが張り渡されており、これらの張力が傾斜柱３（３'）の上端部に対し水平に加わるが、この張力に抗して傾斜柱３（３'）が周囲線４や張線７ａ，７ｂ、小張線８ａ，８ｂを支持することで、棚面２の形状が維持されるようになっている。さらに、棚面２に沿って果樹の枝や蔓が生育すれば、これらの荷重も張力として傾斜柱３（３'）に加えられる。傾斜柱３（３'）の傾斜角や、引き下げ線５、アンカー６は、棚面２に沿って内向きに加えられるこうした張力に抗するための構成である。
【００１２】
したがって、圃場に傾斜柱３（３'）を立設し、更に周囲線４や張線７ａ，７ｂ、小張線８ａ，８ｂを張り渡す際には、果樹の育成に伴い増加する荷重をも加味しつつ、傾斜柱３（３'）が倒れあるいは起き上がったり、張線７ａ，７ｂや小張線８ａ，８ｂが過度に弛んだりしないよう、傾斜柱３（３'）の角度や、引き下げ線５の張力、周囲線４、張線７ａ，７ｂの張力等を適切に調整する必要がある。しかも、果樹栽培に係る作業性を確保するためには、栽培者の頭上の適当な高さに棚面２を形成する必要があるが、この「適当な高さ」は栽培者の身長によってまちまちであるため、この点でも微調整が必要である。また、（ここでは説明の都合上、平面的な形状の圃場ないし果樹棚１を図示しているが）果樹の圃場は斜面上に設営されることも多く、その場合、斜面に沿って均等な高さの棚面２を形成しなくてはならない。
【００１３】
必然的に、こういった果樹棚１の設営作業は、非常に手間のかかるものであると同時に専門知識や熟練をも要する職人的な作業となっており、上述の如き果樹棚１を設営できる技術を持った人員は年々数を減らしつつあるのが実情である。加えて、傾斜柱３（３'）とするためのコンクリート製の柱材を製造するメーカーも減少している。一方で、過去に設置されたこうした果樹棚は老朽化しつつあり、更新の必要が出てきている。そこで、なるべく設営にかかる作業に熟練を要さず、簡単な構造で誰でも設営可能な新しい果樹棚の開発が求められていた。
【００１４】
本発明は、斯かる実情に鑑み、簡便な構造で棚面を好適に形成し得る果樹棚及びその設置方法を提供しようとするものである。
【課題を解決するための手段】
【００１５】
本発明は、圃場に立設される支柱と、該支柱の所定高さに連結された梁と、該梁に張り渡される張線とを備え、前記梁と前記張線とにより棚面を形成し、前記支柱のうち少なくとも一部は前記棚面より高い位置に突出し、且つその棚面より高い位置に突出した部分から周囲の前記梁又は前記張線へ吊線を張り渡して該梁又は張線を支持するよう構成したことを特徴とする果樹棚にかかるものである。
【００１６】
而して、このようにすれば、複雑で熟練を要する工程を経ることなく簡便に果樹棚を設置することができる。また、棚面の高さの設定や、種々の地形に対応した棚面の形成も比較的容易である。
【００１７】
本発明の果樹棚においては、前記支柱の先端に、該支柱と嵌合する軸部と、該軸部の一端を覆い且つ該軸部の径方向外側に広がるように形成される傘部と、該傘部に開口する孔を備えたキャップを配することが好ましく、このようにすれば、孔に吊線の端部を巻き掛けることにより、簡便に吊線を張り渡すことができる。
【００１８】
本発明の果樹棚においては、前記支柱のうち、隅に位置する支柱と梁との連結部と、前記隅に位置する支柱に隣接する支柱の地面付近との間を、筋交いにより連結することが好ましく、このようにすれば、隅に位置する支柱を、隣接する支柱の方向に倒れ込ませる力に対し補強することができる。
【００１９】
本発明の果樹棚においては、前記支柱のうち、隅に位置する支柱と梁との連結部と、その近傍で棚面の外周より内側に位置する支柱と梁との連結部との間を、筋交いにより連結することが好ましく、このようにすれば、隅に位置する支柱を棚面の内側へ引っ張る力に対し、支柱を倒れ込みにくくすることができる。
【００２０】
本発明の果樹棚においては、前記支柱及び前記梁をパイプとし、該パイプ同士は、該パイプを挟み込むクランプ部を備えた連結具によって連結されることが好ましく、このようにすれば、支柱に対する梁の高さを変更したり、向きを調整したりといった作業を簡便に行うことができる。
【００２１】
本発明の果樹棚においては、前記支柱の先端同士の間に支柱間支線を張り渡すことが好ましく、このようにすれば、支柱間支線の張力を介して支柱同士が互いに支持し合うようにすることができ、また、支柱間支線上に防鳥網や雨除けハウス等を設置することもできる。
【００２２】
本発明の果樹棚においては、前記支柱の先端と、該支柱と梁との連結部の間に上下間支線を張り渡すことが好ましく、このようにすれば、梁の下方向への位置ずれを防止することができる。
【００２３】
また、本発明は、圃場に支柱を立設し、該支柱の所定高さに梁を連結し、該梁に張線を張り渡して前記梁と前記張線により棚面を形成し、該棚面より高い位置に突出させた前記支柱から、周囲の前記梁又は前記張線へ吊線を張り渡して該梁又は張線を支持することを特徴とする果樹棚の設置方法にかかるものである。
【発明の効果】
【００２４】
本発明の果樹棚及びその設置方法によれば、簡便な構造で棚面を好適に形成し得るという優れた効果を奏し得る。
【図面の簡単な説明】
【００２５】
【図１】本発明の実施による果樹棚の全体構成を示す平面図である。
【図２】図１をＩＩ−ＩＩ方向から見た正面図である。
【図３】本発明の実施による果樹棚の一部を示す斜視図である。
【図４】本発明の実施に用いる連結具を示す図であり、（Ａ）は正面図、（Ｂ）は（Ａ）をＩＶＢ−ＩＶＢ方向から見た側断面図である。
【図５】本発明の一部を拡大して示す斜視図である。
【図６】本発明の果樹棚の設置手順を説明するフローチャートである。
【図７】従来の果樹棚の一部を示す平面図である。
【図８】図７をＶＩＩＩ−ＶＩＩＩ方向から見た正面図である。
【図９】図７の一部を拡大して示す平面図である。
【図１０】従来の果樹棚に備えられる傾斜柱の側面図である。
【発明を実施するための形態】
【００２６】
以下、本発明の実施の形態を添付図面を参照して説明する。
【００２７】
図１〜図５は本発明の実施による果樹棚の形態の一例を示すものである。図１〜図３に示す如く、本実施例の果樹棚１０は、圃場に鉛直に立設される複数の支柱１２と、所定の高さにて地面に沿った向きをなして支柱１２に連結される梁１３を備えてなる。
【００２８】
支柱１２及び梁１３は、金属製のパイプ１５として形成されており、図４に示す如く、その相互間はクランプ式の連結具１４にて連結される。連結具１４は、二個のクランプ部１４ａ，１４ａが互いに回転可能に連結されてなり、各クランプ部１４ａは、パイプ１５を外側から挟み込んだ上でボルト１４ｂにて締め付けて固定することができるようになっている。この際、クランプ部１４ａ，１４ａ同士は互いに回転可能になっているため、連結されるパイプ１５，１５同士のなす角度は自在に設定することができる。
【００２９】
図１、図２に示す如く、支柱１２は、互いに例えば４５００ｍｍの間隔を隔てて平面視で縦横に等間隔に配置される。支柱１２のうち、棚面１１の外周に位置する支柱１２ａは、例えば全長が３０００ｍｍ、地上高が２５００ｍｍであり、下端の５００ｍｍを地中に埋設されて固定される。棚面１１の外周より内側に位置する支柱１２ｂは、例えば全長が４５００ｍｍ、地上高が４０００ｍｍであり、下端の５００ｍｍを地中に埋設されて固定される。
【００３０】
隣接する支柱１２（１２ａ，１２ｂ）同士の間には、地面から所定の高さに梁１３が張り渡され、図１に示す如く、平面視で縦横に升目状の骨組みを形成している。梁１３は、支柱１２に対して上述の如き連結具１４（図４参照）により連結されている。支柱１２同士の間隔が４５００ｍｍの場合、梁１３により形成される升目は一辺が４５００ｍｍである。
【００３１】
尚、設置の際の作業性、及び後述する吊線１８に係る力の釣り合いの観点から、梁１３による升目は概ね正方形状であることが好ましいが、正方形状が必須というわけではなく、圃場の形状等の事情により適宜変更しても良い。ここに示した例では、図１中の右端に位置する升目については、他の部分の升目（縦４５００ｍｍ×横４５００ｍｍ）とは横方向の寸法が異なり、２０００ｍｍとなっている。
【００３２】
対向する梁１３同士の間には、張線１６が張り渡されている。尚、説明の都合上、図１では大部分において、梁１３のなす各升目毎に縦横一本ずつの張線１６を図示しているが、実際に張り渡される張線１６の数は、栽培される果樹の種類等に応じてこれより多くしても良い（図１の左下にあたる部分、及び図３では、升目毎に縦横に複数の張線１６を張り渡した場合を図示している）。張線１６としては、例えば、２ｍｍ径の果樹鋼線を三本〜七本撚りにしたワイヤ状のものを用いることができる。
【００３３】
このように、支柱１２に連結されて升目状に組まれた梁１３、及び該梁１３に張り渡された張線１６により、棚面１１が形成される。棚面１１の高さは、栽培者の身長をやや超える程度に設定することが栽培に係る作業性の面から好ましく、例えば地面から２０００ｍｍである。
【００３４】
各支柱１２の先端には、図５に示す如きキャップ１７が被せられる。キャップ１７は、支柱１２をなすパイプ１５の先端に嵌合する軸部１７ａと、該軸部１７ａの一端を覆い且つ該軸部１７ａの径方向外側に広がるように形成される傘部１７ｂを備えてなる。軸部１７ａは、パイプ１５の先端に嵌合した上で該パイプ１５と共にかしめられ、キャップ１７がパイプ１５に対してずれないように固定される。傘部１７ｂには、後述する吊線１８等を通すための孔１７ｃが開口されている。尚、傘部１７ｂの形状はどのようなものでも良いが、雨水の溜まりを防止する点から、ここに示す如き上に凸なドーム状の形状とすることが好ましい。
【００３５】
支柱１２のうち少なくとも一部は、棚面１１より高い位置に突出しており、その先端からは、図３に示す如く、周囲の梁１３や張線１６に向かって吊線１８が下方に引かれている（本実施例では、全ての支柱１２が棚面１１より高い位置に突出しているが、先端から吊線１８が引かれるのは、棚面１１の外周より内側に位置する支柱１２ｂのみとなっている。棚面１１の外周に位置する支柱１２ａからは、吊線１８が引かれていない）。吊線１８の上端は支柱１２ｂ先端に嵌合されたキャップ１７の孔１７ｃ（図５参照）に巻き掛けられ、吊線１８の下端は、支柱１２ｂの周囲に位置する梁１３や張線１６に巻き掛けられる。このように、孔１７ｃを備えたキャップ１７（図５参照）を支柱１２ｂの先端に配したことで、吊線１８を簡便に張り渡すことができるようになっている。
【００３６】
尚、ここでは支柱１２ｂの先端から吊線１８を引いているが、支柱１２ｂにおける吊線１８の張り渡される位置は必ずしも先端でなくとも良く、支柱１２ｂのうち棚面１１より高い位置に突出した部分であれば良い。ただし、先端に上述の如きキャップ１７を取り付けて吊線１８を張り渡す方式が特に簡便である。
【００３７】
吊線１８により、支柱１２ｂの先端と、梁１３又は張線１６との間に張力が加えられ、梁１３や張線１６は、斜め上方向の張力により、吊線１８を介して支柱１２ｂに吊橋状に支持される。吊線１８としては、例えば、果樹鋼線を三本〜七本撚りにしたワイヤ状のものを用いることができる。
【００３８】
吊線１８は、支柱１２ｂにかかる力の釣り合いの観点から、各支柱１２ｂに関しなるべく対称に備えられることが好ましい。本実施例の場合、図１に示す如く、外周より内側に位置する一本の支柱１２ｂは、平面視で縦横に他の四本の支柱１２（１２ａ，１２ｂ）と隣接し、該四本の支柱１２（１２ａ，１２ｂ）との間に前後左右四方向の梁１３が張り渡されている。また、一本の支柱１２ｂの周囲には、梁１３により平面視で計四個の升目が形成される。そして、一本の支柱１２ｂの先端からは、前後左右四方向の梁１３に向かって計四本の吊線１８が引かれ、さらに、計四個の前記升目に張り渡された張線１６に向かって計四本の吊線１８が引かれる。梁１３において吊線１８の巻き掛けられる位置は、例えば隣接する支柱１２ｂ同士の中間部であり、また、張線１６に対し吊線１８が巻き掛けられる位置は、例えば梁１３によって形成される前記升目の中央部である。こうして、棚面１１の外周より内側に位置する各支柱１２ｂから、合計八本ずつの張線１６が周囲の梁１３又は張線１６に均等に引かれ、梁１３や張線１６をバランスよく支持するようになっている。
【００３９】
尚、上の説明は、支柱１２ｂの周囲に梁１３により形成される四個の升目が正方形状であることを前提としているが、棚面１１において梁１３は必ずしも正方形状に組まれているとは限らない。例えば、本実施例において、図１の右端に位置する升目は横方向の寸法が短い長方形状である。したがって、図１において棚面１１の右端の支柱１２ａから一本左に位置する支柱１２ｂにおいては、吊線１８の配置は上の説明とは多少異なる。例えば、前記支柱１２ｂから平面視で右上もしくは右下方向に伸びる吊線１８は、張線１６ではなく、棚面１１の外周をなす梁１３の中間部に巻き掛けられる。また、他の部分の升目の寸法が縦４５００ｍｍ×横４５００ｍｍであるのに対し、右端部分の升目は縦４５００ｍｍ×横２０００ｍｍと、横方向の寸法が半分弱であるため、右端から一本左の支柱１２ｂでは、平面視で左方向に伸びる吊線１８と比較し、右方向に伸びる吊線１８の寸法が若干短くなる。
【００４０】
このような吊線１８の配置は、支柱１２ｂに対して完全に均等とは言えないものの、おおよそ均等であり、この程度の不均等であれば力学的に十分許容し得る。また、圃場の形状によっては、棚面１１を構成する梁１３を矩形以外の形状、例えば三角形状等に組む場合等も想定されるが、そのような場合も、吊線１８は支柱１２ｂに対しおおよそ均等に配置されていれば十分である。いずれにしても、吊線１８同士の張力に著しい偏りが生じ、支柱１２ｂが傾斜したり、棚面１１の形状を適切に維持できなくなるような事態に陥らない限りにおいて、吊線１８の配置に関し多少の不均等は許容され得る。そもそも、果樹の生育状況や地盤の質等により、吊線１８の張力に多少の不均衡が出ることは避けられないのであり、また、支柱１２ｂが地面に対し十分な強度で固定されていれば、多少の不均衡で支柱１２ｂが傾斜したりすることはない。
【００４１】
図２、図３に示す如く、平面視で縦横に隣接する支柱１２（１２ａ，１２ｂ）の先端同士の間には、支柱間支線１９が張り渡される。支柱間支線１９は、支柱１２の先端に取り付けられたキャップ１７の相互間に張り渡され、支柱間支線１９の張力を介して支柱１２同士が互いに支持し合うようになっていると共に、支柱間支線１９上に防鳥網や雨除けハウス等を設置することができるようになっている。支柱間支線１９としては、例えば、果樹鋼線を三本〜七本撚りにしたワイヤ状のものを用いることができる。
【００４２】
棚面１１の外周に位置する支柱１２ａのうちでも、四隅に位置する支柱１２ａは、棚面１１の外周を取り巻く縦横の梁１３の交点にあたり、両方向から棚面１１の内側に向かって荷重を受けるため、果樹棚１０のうちでも特に荷重への対策を要する部分である。そこで、この位置の支柱１２ａ付近には、図１、図３に示す如く、三方向に筋交い２０（２０ａ，２０ｂ）を備え、支柱１２ａを棚面１１の内側に倒す方向の荷重に対し補強する構造を取っている。
【００４３】
筋交い２０は、支柱１２や梁１３と同様のパイプ１５により構成される。図１、図３に示す如く、隅に位置する各支柱１２ａ毎に三本ずつ備えられた筋交い２０のうち、二本（筋交い２０ａ）は平面視で棚面１１の外周を構成する縦及び横の梁１３に添って配置され、残り一本（筋交い２０ｂ）は、平面視で筋交い２０ａ，２０ａのなす角を二分割するように配置される。
【００４４】
筋交い２０ａ，２０ａは、各々が一端を隅に位置する支柱１２ａと梁１３との連結部に固定され（尚、ここでは筋交い２０ａの一端を梁１３に固定した場合を例示しているが、固定位置は支柱１２ａと梁１３との連結点の近傍であれば良く、例えば支柱１２ａに固定しても良い）、他端は前記隅に位置する支柱１２ａに隣接する支柱１２ａの地面付近の位置に固定される。このように、二本の支柱１２ａと梁１３及び地面が形成する四角形の対角線に添うように筋交い２０ａを設けることで、隅の支柱１２ａを、隣接する支柱１２ａの方向に倒れ込ませる力に対し補強するようにしている。
【００４５】
筋交い２０ｂは、一端を隅に位置する支柱１２ａと梁１３との連結部に固定され（尚、ここでも固定位置は連結点の近傍であれば良く、筋交い２０ｂの一端は支柱１２ａに固定しても良いし、梁１３に固定しても良い）、他端を近傍に位置する支柱１２ｂと梁１３との連結部に固定され（ここでも、筋交い２０ｂの他端の固定位置は支柱１２ｂでも良いし、梁１３でも良い）、隅に位置する支柱１２ａと、外周より内側に位置する支柱１２ｂとを門型に連結した形をなしている。このようにすれば、隅に位置する支柱１２ａを棚面１１の内側へ引っ張る力に対し、支柱１２ａ単独ではなく、支柱１２ａと支柱１２ｂの二本で抗することになり、支柱１２ａを倒れ込みにくくすることができる。
【００４６】
尚、支柱１２ａと筋交い２０ｂを介して連結される支柱１２ｂは、支柱１２ａと連結しやすい近傍の支柱１２ｂを適宜選択すれば良く、必ずしも直近に位置する支柱１２ｂとする必要はない。ここに示した例では、図１の左上及び左下の隅に位置する支柱１２ａは、筋交い２０ｂにより直近の支柱１２ｂに連結されているが、図１の右上及び右下の隅に位置する支柱１２ａは、直近の支柱１２ｂの一つ隣の支柱１２ｂに連結されている。
【００４７】
すなわち、力学的な観点からは、筋交い２０ｂは、平面視で二本の筋交い２０ａ，２０ａがなす角をちょうど二等分する向きに配置されることが最も望ましく、実際、図１の左上及び左下の隅に位置する筋交い２０ｂはそのように配置されている。しかしながら、筋交い２０ｂを正確にそうした向きで配置できる位置に、支柱１２ｂが必ず位置しているとは限らない。その場合、なるべく筋交い２０ａ，２０ａがなす角を二等分する向きに近い向きで筋交い２０ｂを配置できるよう、隅の支柱１２ａと連結する支柱１２ｂを選択すれば良い。具体的には、筋交い２０ｂの向きは、筋交い２０ａ，２０ａがなす角を二等分する向きを中心として、平面視でプラスマイナス１５°程度のずれであれば許容し得る。一方、連結強度の点では、筋交い２０ｂは一本のパイプ１５として構成されることが好ましいので、隅に位置する支柱１２ａと連結される支柱１２ｂには、前記隅の支柱１２ａからあまり遠い位置の支柱１２ｂを選択すべきではない。図１の右上及び右下に位置する筋交い２０ｂにおいては、このような事情から、隅に位置する支柱１２ａは、最も近傍に位置する支柱１２ｂではなく、その一本左隣の支柱１２ｂと筋交い２０ｂにより連結されている。
【００４８】
尚、支柱１２、梁１３及び筋交い２０の相互間は図４に示す如き連結具１４で連結されるが、図３では説明の都合上、図示を省略している。
【００４９】
支柱１２ａと、該支柱１２と梁１３との連結部の間には、図３に示す如く、支柱１２に沿って上下間支線２１が張り渡されている。上下間支線２１の上方は支柱１２先端のキャップ１７に巻き掛けられ、下方は支柱１２ａ又は支柱１２ｂと梁１３、連結具１４（図４参照）との連結部に巻き掛けられている。こうして、梁１３は、支柱１２との連結位置において、その直上に位置するキャップ１７から上下間支線２１によって吊られる形となり、梁１３が自重や、張線１６ないし果樹の枝や蔓からの下方向の荷重により支柱１２に沿って下方向に位置ずれすることを防止している。上下間支線２１としては、例えば、２ｍｍ径の果樹鋼線を三本〜七本撚りにしたワイヤ状のものを用いることができる。
【００５０】
上述の如き本実施例の果樹棚の設置方法の一例を、図６のフローチャートに示す手順を参照して説明する。
【００５１】
まず、ステップＳ１として、先端にキャップ１７を取り付けた支柱１２を地面に立設する。例えば図１〜図３に示す如き配置により、支柱１２をなすパイプ１５の下端を地面に所定の長さだけ埋め込み、コンクリート等を流し込んで固定する。ステップＳ２として、立設した支柱１２の所定高さ（果樹栽培における作業性を考慮し、栽培者の身長よりやや高い位置で、例えば地面から２０００ｍｍ前後）に梁１３を連結する。支柱１２や梁１３をなすパイプ１５同士の連結は、連結具１４（図４参照）により行う。ステップＳ３として、隅に位置する支柱１２ａと、その近傍の支柱１２ａ，１２ｂとの間に筋交い２０ａ，２０ｂを設置する。
【００５２】
ステップＳ４として、梁１３同士の間に張線１６を張り渡し、棚面１１を形成する。ステップＳ５として、支柱１２ｂの先端のキャップ１７から、梁１３や張線１６の適宜位置へ吊線１８を張り渡す。さらにステップＳ６として、支柱１２の先端のキャップ１７同士の間に支柱間支線１９を張り渡し、また、支柱１２の先端のキャップ１７と、梁１３との連結構造との間に上下間支線２１を張り渡す。
【００５３】
以上のように、本実施例の果樹棚１０では、支柱１２に連結した梁１３に張線１６を張り渡して棚面１１を形成し、更に、棚面１１より高い位置に突出した支柱１２ｂの先端から吊線１８により梁１３や張線１６を支持するようにしている。また、隅に位置する支柱１２ａは、三本の筋交い２０により張力に対して補強している。
【００５４】
すなわち、上記従来例の果樹棚１（図７〜図１０参照）においては、斜めに立設した傾斜柱３（３'）の先端を周囲線４で固縛することにより棚面２に張力を与え、これを支持していたが、本実施例においては、支柱１２ｂの先端から引き下ろした吊線１８が棚面１１を支持する張力を担っている。傾斜柱３（３'）の代わりに、垂直方向に立設した支柱１２に梁１３を組み付ければ果樹棚１０の骨組みを構築することができ、上記従来例の場合の如き傾斜柱３（３'）の角度調整のような手間は不要である。さらに、支柱１２ｂの先端から棚面１１へ吊線１８を張り渡すことにより、棚面１１を斜め上方向の張力で支持することができるので、上記従来例の周囲線４や張線７ａ，７ｂの如く水平方向の張力のみで棚面２を支持する場合と比較し、張力の調整が容易である。また、四隅の支柱１２ａは筋交い２０により補強するので、上記従来例の如き地中に埋設するアンカー６等は不要である。
【００５５】
このように、本実施例の果樹棚１０は、設置に際し、上記従来の果樹棚１のように高い技術を要する工程がなく、さほどの熟練を要さないため、設置に係る工期を短縮し、人件費を抑えて建設費を節減することができる。しかも、支柱１２や梁１３といった主要な構成要素は一般的な金属製のパイプ１５で構成されており、上記従来例に使用される傾斜柱３（３'）のような特殊な部材を必要としない。本実施例の果樹棚１０は、手に入りやすい資材を用いて設置することができる。
【００５６】
加えて、本実施例の果樹棚１０は、棚面１１の高さや形状に関して高い柔軟性を有している。上記従来例の場合、棚面２の高さは傾斜柱３（３'）の埋設される角度や深さによって決定されてしまうため、果樹棚１を設置してから、棚面２の高さを事後的に変更することが非常に困難であった。一方、本実施例の場合、支柱１２に対する梁１３の位置をずらすことにより、比較的簡単に棚面２の高さを調整することが可能である。
【００５７】
また、果樹の圃場は扇状地のような斜面上に設営されることも多く、その際には当然、棚面１１を斜面に沿って斜めに配置することが好ましい。しかも、圃場は平面視で図１に例示する如き矩形状であるとも限らず、種々の形状があり得る。そういった場合、上記従来例の如く傾斜柱３（３'）を周囲線４で固縛して張力を加える型式の果樹棚１では、各傾斜柱３（３'）や周囲線４、張線７ａ，７ｂに均等に張力を付与することが困難な局面が想定できる。この点、本実施例では、梁１３自体が支柱１２に水平方向に荷重するものではないので、梁１３を各支柱１２に連結する際には、圃場の角度や形状に応じて連結位置を適宜変更しながら組み付けるだけで、棚面１１の骨組みを簡単に種々の形状に構成することができる。そして、梁１３に張線１６を張り渡した後、支柱１２ｂから吊線１８を張り渡せば、そういった変形形状の棚面１１に対してもおおよそ均等に張力を付与することができる。
【００５８】
この際、本実施例では、金属製のパイプ１５により構成された支柱１２と梁１３を上述の如き連結具１４にて連結しているため、支柱１２や梁１３をなすパイプ１５同士の連結角度を自在に調整することができる。したがって、支柱１２に対する梁１３の高さを変更したり、向きを調整したりといった作業を簡便に行うことができる。
【００５９】
尚、図４に示す如き連結具１４の構成はあくまで一例であって、この他にパイプ１５同士の連結に用いられる種々の構造を採用し得る。パイプ１５同士を好適に連結し得る限りはどのような構成でも良く、例えば、パイプ１５同士をボルト等で直接連結したり、あるいは、ワイヤ等を用いてパイプ１５同士を括りつけるようにすることもできる。ただし、作業性の観点から、上述の如き連結具１４を用いて連結するのが特に簡便であり、適していると考えられる。
【００６０】
以上のように、上記本実施例の果樹棚１０は、圃場に立設される支柱１２と、該支柱１２の所定高さに連結された梁１３と、該梁１３に張り渡される張線１６とを備え、梁１３と張線１６とにより棚面１１を形成し、支柱１２のうち少なくとも一部（支柱１２ｂ）は棚面１１より高い位置に突出し、且つその棚面１１より高い位置に突出した部分から周囲の梁１３又は張線１６へ吊線１８を張り渡して該梁１３又は張線１６を支持するよう構成しているので、複雑で熟練を要する工程を経ることなく簡便に果樹棚１０を設置することができる。また、棚面１１の高さの設定や、種々の地形に対応した棚面１１の形成も比較的容易である。
【００６１】
また、本実施例においては、支柱１２の先端に、該支柱１２と嵌合する軸部１７ａと、該軸部１７ａの一端を覆い且つ該軸部１７ａの径方向外側に広がるように形成される傘部１７ｂと、該傘部１７ｂに開口する孔１７ｃを備えたキャップ１７を配しているので、孔１７ｃに吊線１８の端部を巻き掛けることにより、簡便に吊線１８を張り渡すことができる。
【００６２】
また、本実施例においては、支柱１２のうち、隅に位置する支柱１２ａと梁１３との連結部と、前記隅に位置する支柱１２ａに隣接する支柱１２ａの地面付近との間を、筋交い２０（２０ａ）により連結しているので、隅に位置する支柱１２ａを、隣接する支柱１２ａの方向に倒れ込ませる力に対し補強することができる。
【００６３】
また、本実施例においては、支柱１２のうち、隅に位置する支柱１２ａと梁１３との連結部と、その近傍で棚面１１の外周より内側に位置する支柱１２ｂと梁１３との連結部との間を、筋交い２０（２０ｂ）により連結しているので、隅に位置する支柱１２ａを棚面１１の内側へ引っ張る力に対し、支柱１２ａを倒れ込みにくくすることができる。
【００６４】
また、本実施例においては、支柱１２及び梁１３はパイプ１５であり、該パイプ１５同士は、該パイプ１５を挟み込むクランプ部１４ａを備えた連結具１４によって連結しているので、支柱１２に対する梁１３の高さを変更したり、向きを調整したりといった作業を簡便に行うことができる。
【００６５】
また、本実施例においては、支柱１２の先端同士の間に支柱間支線１９を張り渡しているので、支柱間支線１９の張力を介して支柱１２同士が互いに支持し合うようになっていると共に、支柱間支線１９上に防鳥網や雨除けハウス等を設置することもできる。
【００６６】
また、本実施例においては、支柱１２の先端と、該支柱１２と梁１３との連結部の間に上下間支線２１を張り渡しているので、梁１３の下方向への位置ずれを防止することができる。
【００６７】
したがって、上記本実施例の果樹棚及びその設置方法によれば、簡便な構造で棚面を好適に形成し得る。
【００６８】
尚、本発明の果樹棚及びその設置方法は、上述の実施例にのみ限定されるものではなく、本発明の要旨を逸脱しない範囲内において種々変更を加え得ることは勿論である。
【符号の説明】
【００６９】
１０    果樹棚
１１    棚面
１２    支柱
１２ａ  支柱
１２ｂ  支柱
１３    梁
１４    連結具
１４ａ  クランプ部
１５    パイプ
１６    張線
１７    キャップ
１７ａ  軸部
１７ｂ  傘部
１７ｃ  孔
１８    吊線
１９    支柱間支線
２０    筋交い
２０ａ  筋交い
２０ｂ  筋交い
【図１】
2018019617.tif 000003
【図２】
2018019617.tif 000004
【図３】
2018019617.tif 000005
【図４】
2018019617.tif 000006
【図５】
2018019617.tif 000007
【図６】
2018019617.tif 000008
【図７】
2018019617.tif 000009
【図８】
2018019617.tif 000010
【図９】
2018019617.tif 000011
【図１０】
2018019617.tif 000012